(57)【要約】【課題】シールド線にドレンワイヤを用いず、接地可能な電気コネクタを提供する。【解決手段】コネクタ１０は、複数の芯線１ａ、芯線１ａを覆う編組線１ｂ、及び編組線１ｂを被覆する絶縁シース１ｃを備える電線１と接続する。コネクタ１０は、複数の第１コンタクト２、第１ハウジング３、一対のシェル４１・４２、及び短絡端子５を備える。第１コンタクト２は芯線１ａを結線する。第１ハウジング３は、複数の第１コンタクト２を配列する。一対のシェル４１・４２は、第１ハウジング３の周囲を覆う。短絡端子５は、第１ハウジング３に装着されて、一端部が第１コンタクト２に接触し、他端部がシェル４１の内壁に接触する。シェル４１は、その一部が延出したケーブルクランプ４１ａを有する。ケーブルクランプ４１ａは、編組線１ｂに接続すると共に、電線１の端部を固定している。【選択図】図１
2010033996.tif 000002
【特許請求の範囲】
【請求項１】
複数の芯線、これらの芯線を覆う編組線、及び編組線を被覆する絶縁シースを備える電線と接続する電気コネクタであって、
前記芯線を結線する複数の第１コンタクトと、
これらの第１コンタクトを配列する第１ハウジングと、
この第１ハウジングの周囲を覆う導電性のシェルと、
前記第１ハウジングに装着されて、一端部が前記第１コンタクトに接触し、他端部が前記シェルの内壁に接触する一つ以上の短絡端子と、を備え、
前記シェルは、その一部が延出して前記編組線に接続すると共に、当該電線の端部を固定するケーブルクランプを有する電気コネクタ。
【請求項２】
前記第１コンタクトは、前記芯線を圧接接続する二股に分岐した一対の圧接端子を有する請求項１記載の電気コネクタ。
【請求項３】
前記複数の芯線の端部を固定すると共に、当該芯線が前記一対の圧接端子に圧接可能に前記第１ハウジングに取り付けられるストレインリリーフを更に備える請求項２記載の電気コネクタ。
【請求項４】
複数の芯線、これらの芯線を覆う編組線、及び編組線を被覆する絶縁シースを備える電線と接続する電気コネクタであって、
前記芯線を結線する複数の第２コンタクトと、
これらの第２コンタクトを配列する第２ハウジングと、
この第２ハウジングの周囲を覆う導電性のシェルと、を備え、
第２コンタクトは、前記第２ハウジングに設けられた一つ以上の溝から片持ち状に突出してその先端部が前記シェルの内壁に接触する短絡片を一体に有し、
前記シェルは、その一部が延出して前記編組線に接続すると共に、当該電線の端部を固定するケーブルクランプを有する電気コネクタ。
【発明の詳細な説明】
【技術分野】
【０００１】
本発明は、電気コネクタに関する。特に、ハウジングの外周を金属のシェルで覆うシールドされた電気コネクタの構造に関する。
【背景技術】
【０００２】
電気コネクタは、電子化が進展した車両関連機器、又はコピー機などの事務機器の内部に使用されている。このような機器に使用される電気コネクタは、電磁ノイズの影響を防止するために、ハウジングの外周を金属のシェルで覆うシールドコネクタを用いてシールド対策が実施されている。
【０００３】
シールドコネクタは、外部から内部導体（芯線及びコンタクト）へ、及び内部導体からの電磁ノイズの放射を防止するように設計されたコネクタである。一般に、シールドコネクタは、電線の端末を結線したコンタクトを組み込んだハウジングを一対の金属製のシェルが覆っている。
【０００４】
一対の金属製のシェルがハウジングを覆うシールドコネクタとしては、樹脂成形体のハウジング、このハウジングに組み込まれた複数のコンタクト、ハウジングの一方の外側に被覆される略Ｕ字形の分割メインシェル、及びハウジングの他方の外側に被覆される略Ｕ字形の分割サブシェルからなるシールドコネクタであって、ハウジング、分割メインシェル、及び分割サブシェルの簡略化を図ったシールドコネクタが開示されている（例えば、特許文献１参照）。
【０００５】
特許文献１によるシールドコネクタは、分割メインシェル及び分割サブシェルが穴などの構成を設けない広い平面部分を確保しているので、充分なシールド機能を有する、としている。
【特許文献１】特開平１０−２２８９４４号公報
【発明の開示】
【発明が解決しようとする課題】
【０００６】
近年のシールドコネクタは、電線の内部に設けられた編組線をシェルに設けられたクリンパバレルで圧着して接続することにより、シールド性能を向上させている。しかし、特許文献１によるシールドコネクタは、分割メインシェルに設けられたクリンパバレルがリード線を結束できる、としている。しかし、このクリンパバレルが編組線に接続しているかは何ら記載されておらず、示唆すらされていない。
【０００７】
例えば、前述した編組線を内部に設ける電線（以下、シールド線という）は、編組線と接地する撚り線からなるドレンワイヤを編組線の内部に設けている。このドレンワイヤは、グラウンド線であり、ドレンワイヤをコンタクトに結線して、相手側コネクタを介して大地（グラウンド）又は筐体に接地している。
【０００８】
ところで、このシールド線をシールドコネクタに接続するためは、シールド線の端面から所定の距離で編組線を切断する「編組切断工程」という端末処理工程が必要である。例えば、編組線を絶縁シース上に反転して被覆することにより、クリンパバレルで圧着して、編組線とシェルを接続できる。
【０００９】
しかし、ドレンワイヤを他の芯線と区別して、コンタクトに結線することは、結線作業に停滞をもたらすという問題がある。
【００１０】
シールド線にドレンワイヤを用いることなく、相手側コネクタを介して大地（グラウンド）又は筐体に接地できれば、シールド線の端末処理が容易になり、コンタクトへの結線作業も容易になる。そして、以上のことが本発明の課題といってよい。
【００１１】
本発明は、このような問題に鑑みてなされたものであり、シールド線にドレンワイヤを用いることなく、相手側コネクタを介して接地可能なシールドされた電気コネクタを提供することを目的とする。
【課題を解決するための手段】
【００１２】
本発明者らは、上記目的を満たすため、ハウジングに組み込まれた複数のコンタクトの内、任意のコンタクトが短絡端子又は短絡片を介してシェルに接触する構造とすることにより、この課題を解決可能なことを見出し、これに基づいて、以下のような新たなシールドされた電気コネクタを発明した。
【００１３】
（１）  複数の芯線、これらの芯線を覆う編組線、及び編組線を被覆する絶縁シースを備える電線と接続する電気コネクタであって、前記芯線を結線する複数の第１コンタクトと、これらの第１コンタクトを配列する第１ハウジングと、この第１ハウジングの周囲を覆う導電性のシェルと、前記第１ハウジングに装着されて、一端部が前記第１コンタクトに接触し、他端部が前記シェルの内壁に接触する一つ以上の短絡端子と、を備え、前記シェルは、その一部が延出して前記編組線に接続すると共に、当該電線の端部を固定するケーブルクランプを有する電気コネクタ。
【００１４】
（１）の発明による電気コネクタは、複数の芯線、これらの芯線を覆う編組線、及び編組線を被覆する絶縁シースを備える電線と接続する。そして、（１）の発明による電気コネクタは、複数の第１コンタクト、第１ハウジング、導電性のシェル、及び一つ以上の短絡端子を備えている。
【００１５】
第１コンタクトは芯線を結線している。第１ハウジングは、複数の第１コンタクトを配列している。シェルは、第１ハウジングの周囲を覆っている。短絡端子は、第１ハウジングに装着されており、一端部が第１コンタクトに接触し、他端部がシェルの内壁に接触している。
【００１６】
シェルは、その一部が延出したケーブルクランプを有している。ケーブルクランプは、編組線に接続すると共に、電線の端部を固定している。
【００１７】
ここで、芯線は、導体が絶縁体で覆われた絶縁電線を含んでよく、絶縁電線は信号線として使用することもでき、終端を接地することにより、グラウンド線として使用することもできる。導体は、単線又は撚り線のいずれか一方を含むことができる。
【００１８】
編組線は、細い導線を格子状に編んだものが使用されてよく、接地することによりグラウンド線として機能する外部導体であってよく、複数の芯線の電磁障害を防止するシールド線としても機能できる。複数の芯線をシールドするとは、芯線から放射される電磁ノイズを防止する機能を含み、外部から芯線に電磁ノイズが受信されることを防止する機能を含んでいる。
【００１９】
絶縁シースは、編組線を被覆する絶縁体であってよく、ポリ塩化ビニル、ポリエチレン、フッ素樹脂などの被覆材料を使用できる。電気コネクタは電線と接続するとは、機械的に接続している形態を含み、電気的に接続している形態も含んでいる。
【００２０】
電気コネクタは、基本的に直方体であって矩形の結合面を有する角形コネクタであってよく、基本的に円筒形であって円形の結合面を有する丸形コネクタであってもよい。又、電気コネクタは、通常、めすコンタクトが挿入されたシェルタイプの多極のリセプタクルであってよく、通常、おすコンタクトが挿入されたシェルタイプの多極のプラグであってもよい。
【００２１】
第１コンタクト及び後述する第２コンタクトは、電線を圧着するコンダクタバレルを有する圧着コンタクトであってよく、圧着コンタクトは、電線を結線できる。コンダクタバレルは、電線を圧着する前に開いた形状をしているオープンクリンプバレルであってよく、電線を圧着する前に閉じた形状をしているクローズクリンプバレルであってもよい。
【００２２】
又、第１コンタクト及び第２コンタクトは、スロットの両側面が電線の絶縁体を押し退け、導体を変形させて電気的接触がえられる圧接コンタクトであってよく、圧接コンタクトは、電線を結線できる。圧接コンタクトは、電線の絶縁体を突き刺し、導体を変形又は貫通するピアシング接続による圧接コンタクトであってもよい。又、後述する二股に分岐した圧接端子を有する圧接コンタクトであってもよい。
【００２３】
第１ハウジング及び後述する第２ハウジングは、絶縁性を有してよく、絶縁性のハウジングとは、非導電性の材料からなるハウジングのことであってよく、例えば、合成樹脂を成型して、所望の形状の絶縁性の第１ハウジング又は第２ハウジングを得ることができる。第１ハウジング又は第２ハウジングは、対向する一対の金型のみで成形されるような形状とすることが好ましい。
【００２４】
シェルは、導通を有してよく、導通を有するシェルとは、導電性の材料からなるシェルのことであってよく、例えば、シェルはアルミニウム合金板が打ち抜き加工された後に折り曲げ成形されて、所望の形状のシェルを得ることができる。シェルは、筒形状であってよく、筒形状が分割された形状であってもよく、シェルが第１又は第２ハウジングの周囲を覆うことにより、電気コネクタをシールドできる。
【００２５】
短絡端子は、導通を有してよく、導通を有する短絡端子とは、導電性の材料からなる短絡端子のことであってよく、短絡端子は、金属板を成形して、所望の形状の接続具を得ることができる。短絡端子は、導電性を有して成形容易な銅合金からなることが好ましいが、銅合金に限定されない。
【００２６】
例えば、短絡端子は、ベローズ形のコンタクトであってよく、一方の端部となる固定端を第１ハウジングに形成された帯状の溝に圧入して第１コンタクトに接触できる。他方の端部は自由端であってよく、第１ハウジングにシェルを組み込むことにより、所定の弾性力でシェルの内壁に接触できる。
【００２７】
一つ以上の短絡端子を備えるとは、短絡端子が任意の第１コンタクトに接触できることを意味している。短絡端子を必ずしも第１ハウジングに装着する必要はなく、この電気コネクタの用途によって、選択できる。又、第１コンタクトは、必ずしも芯線を結線しない。少なくとも、短絡端子を備える第１コンタクトは、芯線を結線しない。
【００２８】
シェルはその一部が延出して編組線に接続するとは、例えば、編組線を絶縁シース上に反転させる端末処理を施し、この反転された編組線をケーブルクランプが圧着して接続する形態を考えることができる。又、編組線を絶縁シース上に反転させることなく、適宜な接続具を用いて、編組線とケーブルクランプを接続する形態も考えることができる。
【００２９】
ケーブルクランプは、シェルと一体に形成されてよく、シェルと別体に形成されてもよい。ケーブルクランプは、オープンクリンプバレルであってよく、電線の端部を圧着して固定できる。半月形の締結部を有する一対のケーブルクランプを用いて、電線の端部をねじなどの締結具で固定してもよい。
【００３０】
（１）の発明による電気コネクタは、第１ハウジングに装着された短絡端子がシェルを介して編組線と第１コンタクトを導通しているので、対応する第１コンタクトに芯線を結線しなくてもグラウンド線として使用できる。
【００３１】
又、（１）の発明による電気コネクタは、シールド線にドレンワイヤを用いることなく、相手側コネクタを介して接地可能なシールドされた電気コネクタを提供できる。
【００３２】
更に、（１）の発明による電気コネクタは、ドレンワイヤを他の芯線と区別して、第１コンタクトに結線する結線作業を不要にできるので、この電気コネクタを用いたワイヤリングハーネスは、製造原価の低減に寄与できる。
【００３３】
（２）  前記第１コンタクトは、前記芯線を圧接接続する二股に分岐した一対の圧接端子を有する（１）記載の電気コネクタ。
【００３４】
（２）の発明による電気コネクタは、絶縁被覆を剥いでいない１本の芯線が一対の圧接端子の間に開口されたスロットに挿入されてよく、スロットの両側面が絶縁被覆を押し退けて、芯線の導体を変形させて無はんだ接続できる。圧接接続は、同様な無はんだ接続である圧着接続と比べて、圧着作業を不要とするので、結線作業が早いという利点がある。
【００３５】
（３）  前記複数の芯線の端部を固定すると共に、当該芯線が前記一対の圧接端子に圧接可能に前記第１ハウジングに取り付けられるストレインリリーフを更に備える（２）記載の電気コネクタ。
【００３６】
ストレインリリーフ（ｓｔｒａｉｎ  ｒｅｌｅｆ）は、芯線と第１コンタクトの結線部に不要な力が加わらないように、複数の芯線をクランプしてハウジングに取り付けられる部品である。
【００３７】
例えば、ストレインリリーフは、帯板状の絶縁体で形成されてよく、この絶縁体に複数の溝を設けて、その長手方向と直交する方向に芯線の端部を配置して、これらの溝に芯線の端部を埋設して固定できる。
【００３８】
第１ハウジングには、このストレインリリーフが嵌合するスロットを開口してよく、スロットにストレインリリーフを挿入すると、複数の芯線が一対の圧接端子に一括して圧接できる。ストレインリリーフの両翼に一対のロックアームを設けて、第１ハウジングの両側面に係止できるよう構成することが好ましい。
【００３９】
（４）  複数の芯線、これらの芯線を覆う編組線、及び編組線を被覆する絶縁シースを備える電線と接続する電気コネクタであって、前記芯線を結線する複数の第２コンタクトと、これらの第２コンタクトを配列する第２ハウジングと、この第２ハウジングの周囲を覆う導電性のシェルと、を備え、第２コンタクトは、前記第２ハウジングに設けられた一つ以上の溝から片持ち状に突出してその先端部が前記シェルの内壁に接触する短絡片を一体に有し、前記シェルは、その一部が延出して前記編組線に接続すると共に、当該電線の端部を固定するケーブルクランプを有する電気コネクタ。
【００４０】
（４）の発明による電気コネクタは、複数の芯線、これらの芯線を覆う編組線、及び編組線を被覆する絶縁シースを備える電線と接続する。そして、（４）の発明による電気コネクタは、複数の第２コンタクト、第２ハウジング、導電性のシェルを備えている。
【００４１】
第２コンタクトは芯線を結線している。第２ハウジングは、複数の第２コンタクトを配列している。シェルは、第２ハウジングの周囲を覆っている。第２コンタクトは、短絡片を一体に有している。短絡片は、第２ハウジングに設けられた一つ以上の溝から片持ち状に突出して、短絡片の先端部がシェルの内壁に接触している。
【００４２】
シェルは、その一部が延出したケーブルクランプを有している。ケーブルクランプは、編組線に接続すると共に、電線の端部を固定している。
【００４３】
（１）の発明による電気コネクタが第１コンタクトと短絡端子とを別体にしているのに対し、（４）の発明による電気コネクタは、第２コンタクトと短絡片とを一体にしているという違いがある。（４）の発明による電気コネクタは、部品点数を削減できるというメリットがある。
【００４４】
例えば、短絡片は、第２コンタクトの中間部から片持ち状に突出する板ばね状のカンチレバーコンタクトであってよく、その先端部がシェルの内壁に所定の弾性力で接触する。第２ハウジングは一つ以上の溝を設けているとは、溝に入る任意の第２コンタクトがシェルに接触できることを意味している。
【００４５】
（４）の発明による電気コネクタは、第２コンタクトが必ずしも芯線を結線しない。少なくとも、溝に入る任意の第２コンタクトは、芯線を結線しない。溝に入らない任意の第２コンタクトは、芯線を結線してよく、この第２コンタクトに備わる短絡片は、第２ハウジングに隔絶されて、シェルに接触することなく相手側コンタクトと接続できる。
【００４６】
（４）の発明による電気コネクタは、第２ハウジングに装着された任意の第２コンタクトの短絡片がシェルを介して編組線と第２コンタクトを導通しているので、対応する第２コンタクトに芯線を結線しなくてもグラウンド線として使用できる。
【００４７】
又、（４）の発明による電気コネクタは、シールド線にドレンワイヤを用いることなく、相手側コネクタを介して接地可能なシールドされた電気コネクタを提供できる。
【００４８】
更に、（４）の発明による電気コネクタは、ドレンワイヤを他の芯線と区別して、第２コンタクトに結線する結線作業を不要にできるので、この電気コネクタを用いたワイヤリングハーネスは、製造原価の低減に寄与できる。
【発明の効果】
【００４９】
本発明による電気コネクタは、第１ハウジングに装着された短絡端子がシェルを介して編組線と第１コンタクトを導通しているので、対応する第１コンタクトに芯線を結線しなくてもグラウンド線として使用できる。
【００５０】
又、本発明による電気コネクタは、第２ハウジングに装着された任意の第２コンタクトの短絡片がシェルを介して編組線と第２コンタクトを導通しているので、対応する第２コンタクトに芯線を結線しなくてもグラウンド線として使用できる。
【００５１】
本発明による電気コネクタは、シールド線にドレンワイヤを用いることなく、相手側コネクタを介して接地可能なシールドされた電気コネクタを提供できる。
【００５２】
更に、本発明による電気コネクタは、ドレンワイヤを他の芯線と区別して、コンタクトに結線する結線作業を不要にできるので、この電気コネクタを用いたワイヤリングハーネスは、製造原価の低減に寄与できる。
【発明を実施するための最良の形態】
【００５３】
以下、図面を参照して本発明を実施するための最良の形態を説明する。
【００５４】
図１は、本発明による電気コネクタの第１実施形態を示す斜視分解組立図である。図２は、前記第１実施形態による電気コネクタの斜視分解組立図であり、図１と異なる方向から電気コネクタを観ている。図３は、前記第１実施形態による電気コネクタの斜視図であり、第１ハウジングを想像線で示している。
【００５５】
図４は、前記第１実施形態による電気コネクタに組み込まれるストレインリリーフの斜視図であり、電線の端部が固定された状態図である。図５は、前記第１実施形態による電気コネクタの斜視図であり、電気コネクタに電線の端部が固定された状態図である。図６は、前記第１実施形態による電気コネクタの正面図である。図７は、前記第１実施形態による電気コネクタの縦断面図であり、図６のＡ−Ａ矢視断面図である。
【００５６】
図８は、本発明による電気コネクタの第２実施形態を示す斜視分解組立図である。図９は、前記第２実施形態による電気コネクタの斜視図であり、第２ハウジングを想像線で示している。図１０は、前記第２実施形態による電気コネクタの斜視図であり、シェルが第２ハウジングを覆う前の状態図である。図１１は、前記第２実施形態による電気コネクタの斜視図であり、電気コネクタに電線の端部が固定された状態図である。
【００５７】
最初に、本発明の第１実施形態による電気コネクタ（以下、コネクタと略称する）の構成を説明する。図１又は図２において、コネクタ１０は、電線１と接続する。電線１は、複数の芯線１ａ、これらの芯線１ａを覆う編組線１ｂ、及び編組線１ｂを被覆する絶縁シース１ｃを備えている。
【００５８】
図１又は図２において、コネクタ１０は、複数の第１コンタクト２、第１ハウジング３、一対の導電性のシェル４１・４２、及び複数の短絡端子５を備えている。第１コンタクト２は、芯線１ａを結線できる。第１ハウジング３は、複数の第１コンタクト２を配列している。一対のシェル４１・４２は、第１ハウジング３の周囲を覆っている。
【００５９】
図１又は図２において、短絡端子５は、第１ハウジング３に装着されており、一端部が第１コンタクト２に接触し、他端部がシェル４１の内壁に接触している（図７参照）。シェル４１は、その一部が延出したオープンクリンプバレルであるケーブルクランプ４１ａを有している。ケーブルクランプ４１ａは、編組線１ｂに接続すると共に、電線１の端部を固定している（図５又は図７参照）。
【００６０】
図１又は図２において、コネクタ１０は、ストレインリリーフ６を備えている。図４に示されるように、ストレインリリーフ６は、帯板状の絶縁体であって、複数の溝６ａを設けている。ストレインリリーフ６の長手方向と直交する方向に芯線１ａの端部を配置して、これらの溝６ａに芯線１ａの端部を埋設して固定している。
【００６１】
図１及び図２に示されたコネクタ１０は、角形コネクタを示している。図３の実施形態において、第１コンタクト２は、芯線１ａを圧接接続する二股に分岐した一対の圧接端子２ａ・２ａを一方の端部に有している。又、第１コンタクト２は、相手側のコネクタに備わるコンタク（図示せず）が挿入される角筒状のコンタクト接続部２ｂを他方の端部に有している。図示された第１コンタクト２は、めすコンタクトを示している。
【００６２】
図５及び図６において、第１ハウジング３は、その一端面が開口する複数の収容室３ａを有している。一端面と相反する向きにある他端面から第１コンタクト２が収容室３ａに挿入されて、これらの第１コンタクト２が第１ハウジング３に配列される。
【００６３】
図２又は図７において、第１ハウジング３には、収容室３ａに連通する溝３ｂを設けており、第１ハウジング３の他端面から任意の溝３ｂに短絡端子５を圧入して、短絡端子５を第１コンタクト２に接触できる。図１に示されるように、短絡端子５には、第１コンタクト２に弾性接触する接触片５ａを設けている。
【００６４】
図１又は図２において、シェル４１は、第１ハウジング３の他端面から挿入して、第１ハウジング３に組み込むことができる。シェル４２は、第１ハウジング３の一方の面に向かって挿入すると、シェル４２の両翼に形成された複数のラッチ片４２ａがシェル４１の両翼に形成された複数の開口４１ｂに係止して、第１ハウジング３に組み込むことができる。
【００６５】
次に、本発明の第１実施形態によるコネクタ１０に電線１を接続する手順を説明しながら、本発明の第１実施形態によるコネクタ１０の作用を説明する。
【００６６】
図４において、電線１は、編組線１ｂが絶縁シース１ｃ上に反転されており、反転された編組線１ｂに銅箔テープ１ｄが巻回されている。複数の芯線１ａは、電線１の端面から所定の長さで予め切断されている。又、複数の芯線１ａを束ねる絶縁チューブ１ｅが電線１の端面と略一致するように剥離されている。
【００６７】
図４において、複数の芯線１ａは、ストレインリリーフ６の溝６ａに芯線１ａの端部を埋設して固定している。そして、図２に示されるように、第１ハウジング３の他端面に開口されたスロットにストレインリリーフ６を挿入すると、複数の芯線１ａが複数の一対の圧接端子２ａ・２ａに一括して圧接できる。
【００６８】
なお、図４に示されるように、ストレインリリーフ６の両翼には、一対のロックアーム６１・６２を設けている。第１ハウジング３のスロットにストレインリリーフ６を挿入すると、一対のロックアーム６１・６２が第１ハウジング３の両側面に係止できる。
【００６９】
次に、図５に示されるように、ケーブルクランプ４１ａを圧着すると、シェル４１が編組線１ｂに接続すると共に、電線１の端部を固定できる。
【００７０】
図７を参照すると、本発明の第１実施形態によるコネクタ１０は、第１ハウジング３に装着された短絡端子５がシェル４１を介して編組線１ｂと第１コンタクト２を導通しているので、対応する第１コンタクト２に芯線１ａを結線しなくてもグラウンド線として使用できる。
【００７１】
次に、本発明の第２実施形態によるコネクタ２０の構成を説明する。なお、以下の説明において、第１実施形態によるコネクタ１０と重複する符号の構成品は、その作用を同一とするので、説明を割愛する場合がある。
【００７２】
図８において、コネクタ２０は、電線１と接続する。コネクタ２０は、複数の第２コンタクト７、第２ハウジング８、及び一対の導電性のシェル４１・４２、を備えている。第２コンタクト７は、芯線１ａを結線できる。第２ハウジング８は、複数の第２コンタクト７を配列している。一対のシェル４１・４２は、第２ハウジング８の周囲を覆っている。
【００７３】
図８において、第２コンタクト７は、短絡片７ｃを一体に有している。図１０を参照すると、短絡片７ｃは、第２ハウジング８に設けられた溝８ｂから片持ち状に突出して、短絡片７ｃの先端部がシェル４１の内壁に接触する。
【００７４】
図８及び図９に示されたコネクタ２０は、角形コネクタを示している。図８の実施形態において、第２コンタクト７は、芯線１ａを圧接接続する二股に分岐した一対の圧接端子７ａ・７ａを一方の端部に有している。又、第２コンタクト７は、相手側のコネクタに備わるコンタク（図示せず）が挿入される角筒状のコンタクト接続部７ｂを他方の端部に有している。図示された第２コンタクト７は、めすコンタクトを示している。
【００７５】
図８及び図１１において、第２ハウジング８は、その一端面が開口する複数の収容室８ａを有している。一端面と相反する向きにある他端面から第２コンタクト７が収容室８ａに挿入されて、これらの第２コンタクト７が第２ハウジング８に配列される（図９参照）。
【００７６】
図８及び図１０において、第２ハウジング８には、収容室８ａに連通する溝８ｂを３ヵ所に設けており、第２ハウジング８の他端面から溝８ｂに第２コンタクト７を圧入して、短絡片７ｃを第２ハウジング８から突出できる。図１０において、溝に入らない任意の第２コンタクト７の短絡片７ｃは、第２ハウジング８に隔絶されて、シェル４２に接触することなく相手側コンタクトと接続できる。
【００７７】
図８又は図１１において、シェル４１は、第２ハウジング８の他端面から挿入して、第２ハウジング８に組み込むことができる。シェル４２は、第２ハウジング８の一方の面に向かって挿入すると、シェル４２の両翼に形成された複数のラッチ片４２ａがシェル４１の両翼に形成された複数の開口４１ｂに係止して、第２ハウジング８に組み込むことができる。
【００７８】
次に、本発明の第２実施形態によるコネクタ２０に電線１を接続する手順を説明しながら、本発明の第２実施形態によるコネクタ２０の作用を説明する。
【００７９】
図８において、電線１は、編組線１ｂが絶縁シース１ｃ上に反転されており、反転された編組線１ｂに銅箔テープ１ｄが巻回されている。複数の芯線１ａは、電線１の端面から所定の長さで予め切断されている。又、複数の芯線１ａを束ねる絶縁チューブ１ｅが電線１の端面と略一致するように剥離されている。
【００８０】
図４を参照すると、複数の芯線１ａは、ストレインリリーフ６の溝６ａに芯線１ａの端部を埋設して固定している。そして、図９又は図１０に示されるように、第２ハウジング８の他端面に開口されたスロットにストレインリリーフ６を挿入すると、複数の芯線１ａが複数の一対の圧接端子７ａ・７ａに一括して圧接できる。
【００８１】
なお、図８に示されるように、ストレインリリーフ６の両翼には、一対のロックアーム６１・６２を設けている。第２ハウジング８のスロットにストレインリリーフ６を挿入すると、一対のロックアーム６１・６２が第２ハウジング８の両側面に係止できる。
【００８２】
次に、図１１に示されるように、ケーブルクランプ４１ａを圧着すると、シェル４１が編組線１ｂに接続すると共に、電線１の端部を固定できる。
【００８３】
図８から図１０を参照すると、本発明の第２実施形態によるコネクタ２０は、第２コンタクト７が必ずしも芯線１ａを結線しない。図示された電線１は、芯線１ａが４本であるのに対し、コネクタ２０は、７極の第２コンタクト７を備えている。
【００８４】
図８から図１０において、溝８ｂに入らない４本の第２コンタクト７は、芯線１ａを結線している。第２コンタクト７に備わる短絡片７ｃは、第２ハウジング８に隔絶されて、シェル４２に接触することなく相手側コンタクトと接続できる。
【００８５】
本発明の第２実施形態によるコネクタ２０は、第２ハウジング８に装着された任意の第２コンタクト７の短絡片７ｃがシェル４１を介して編組線１ｂと第２コンタクト７を導通しているので、対応する第２コンタクト７に芯線１ａを結線しなくてもグラウンド線として使用できる。
【００８６】
又、本発明の第１実施形態によるコネクタ１０が第１コンタクト２と短絡端子５と別体にしているのに対し、本発明の第２実施形態によるコネクタ２０は、第２コンタクト７と短絡片７ｃとを一体にしているという違いがある。本発明の第２実施形態によるコネクタ２０は、部品点数を削減できるというメリットがある。
【００８７】
本発明の実施形態による電気コネクタは、シールド線にドレンワイヤを用いることなく、相手側コネクタを介して接地可能なシールドされた電気コネクタを提供できる。
【００８８】
又、本発明の実施形態による電気コネクタは、ドレンワイヤを他の芯線と区別して、コンタクトに結線する結線作業を不要にできるので、この電気コネクタを用いたワイヤリングハーネスは、製造原価の低減に寄与できる。
【図面の簡単な説明】
【００８９】
【図１】本発明による電気コネクタの第１実施形態を示す斜視分解組立図である。
【図２】前記第１実施形態による電気コネクタの斜視分解組立図であり、図１と異なる方向から電気コネクタを観ている。
【図３】前記第１実施形態による電気コネクタの斜視図であり、第１ハウジングを想像線で示している。
【図４】前記第１実施形態による電気コネクタに組み込まれるストレインリリーフの斜視図であり、電線の端部が固定された状態図である。
【図５】前記第１実施形態による電気コネクタの斜視図であり、電気コネクタに電線の端部が固定された状態図である。
【図６】前記第１実施形態による電気コネクタの正面図である。
【図７】前記第１実施形態による電気コネクタの縦断面図であり、図６のＡ−Ａ矢視断面図である。
【図８】本発明による電気コネクタの第２実施形態を示す斜視分解組立図である。
【図９】前記第２実施形態による電気コネクタの斜視図であり、第２ハウジングを想像線で示している。
【図１０】前記第２実施形態による電気コネクタの斜視図であり、シェルが第２ハウジングを覆う前の状態図である。
【図１１】前記第２実施形態による電気コネクタの斜視図であり、電気コネクタに電線の端部が固定された状態図である。
【符号の説明】
【００９０】
１  電線
１ａ  芯線
１ｂ  編組線
１ｃ  絶縁シース
２  第１コンタクト
３  第１ハウジング
５  短絡端子
１０・２０  コネクタ（電気コネクタ）
４１・４２  一対のシェル（シェル）
４１ａ  ケーブルクランプ
【図１】
2010033996.tif 000003
【図２】
2010033996.tif 000004
【図３】
2010033996.tif 000005
【図４】
2010033996.tif 000006
【図５】
2010033996.tif 000007
【図６】
2010033996.tif 000008
【図７】
2010033996.tif 000009
【図８】
2010033996.tif 000010
【図９】
2010033996.tif 000011
【図１０】
2010033996.tif 000012
【図１１】
2010033996.tif 000013